(57)【要約】【課題】製造コストを低減する。【解決手段】本発明の床パンは、複数の面が連結されて形成される、浴室洗い場（１０）の床パン（１１）であって、排水口（１３）に向かって傾斜して延びる第１面（Ａ１）と、前記排水口に向かって傾斜して前記第１面と異なる方向から延びる第２面（Ａ２）と、  第１辺（Ｌ１）及び前記第１辺と隣接する第２辺（Ｌ２）で画定される床パンの外周側から前記排水口に向かって傾斜して延びる第３面（Ａ３）と、を備え、前記第１面（Ａ１）と前記第２面（Ａ２）とは、前記第３面（Ａ３）を介して連結される。【選択図】図２
2019100015.tif 000002
【特許請求の範囲】
【請求項１】
複数の面が連結されて形成される、浴室洗い場の床パンであって、
排水口に向かって傾斜して延びる第１面と、
前記排水口に向かって傾斜して前記第１面と異なる方向から延びる第２面と、
第１辺及び前記第１辺と隣接する第２辺で画定される床パンの外周側から前記排水口に向かって傾斜して延びる第３面と、
を備え、
前記第１面と前記第２面とは、前記第３面を介して連結される、床パン。
【請求項２】
前記第３面は、前記床パンの角部から前記排水口に向かって延びる、請求項１に記載の床パン。
【請求項３】
前記床パンは、四角形以上の多角形の形状を有している、請求項１又は２に記載の床パン。
【請求項４】
複数の面が連結されて形成される床パンと、
前記床パンの上に積層されるシートと、
を備え、
前記床パンは、
排水口に向かって傾斜して延びる第１面と、
前記排水口に向かって傾斜して前記第１面と異なる方向から延びる第２面と、
第１辺及び前記第１辺と隣接する第２辺で画定される床パンの外周側から前記排水口に向かって前記排水口に向かって傾斜して延びる第３面と、
を有し、
前記第１面と前記第２面とは、前記第３面を介して連結される、浴室洗い場。
【発明の詳細な説明】
【技術分野】
【０００１】
本発明は、床パン及びその床パンを備える浴室洗い場に関する。
【背景技術】
【０００２】
排水口に向けて傾斜した複数の面部材で構成された浴室洗い場の床パンが知られている（例えば、特許文献１参照。）。
【先行技術文献】
【特許文献】
【０００３】
【特許文献１】特開２０１５−１９０２８９号公報
【発明の概要】
【発明が解決しようとする課題】
【０００４】
近年、製造コストを低減することができる床パン及びその床パンを備える浴室洗い場が求められている。
【０００５】
本発明は、前記課題を解決するもので、製造コストを低減することができる床パン及びその床パンを備える浴室洗い場を提供する。
【課題を解決するための手段】
【０００６】
本開示の一態様に係る床パンは、
複数の面が連結されて形成される、浴室洗い場の床パンであって、
排水口に向かって傾斜して延びる第１面と、
前記排水口に向かって傾斜して前記第１面と異なる方向から延びる第２面と、
第１辺及び前記第１辺と隣接する第２辺で画定される床パンの外周側から前記排水口に向かって傾斜して延びる第３面と、
を備え、
前記第１面と前記第２面とは、前記第３面を介して連結される。
【０００７】
本開示の一態様に係る浴室洗い場は、
複数の面が連結されて形成される床パンと、
前記床パンの上に積層されるシートと、
を備え、
前記床パンは、
排水口に向かって傾斜して延びる第１面と、
前記排水口に向かって傾斜して前記第１面と異なる方向から延びる第２面と、
第１辺及び前記第１辺と隣接する第２辺で画定される床パンの外周側から前記排水口に向かって傾斜して延びる第３面と、
を有し、
前記第１面と前記第２面とは、前記第３面を介して連結される。
【発明の効果】
【０００８】
以上のように、本発明によれば、製造コストを低減することができる床パン及びその床パンを備える浴室洗い場を提供することができる。
【図面の簡単な説明】
【０００９】
【図１】図１は、浴室の概略構成図である。
【図２】図２は、本発明の実施の形態１に係る床パンの概略斜視図である。
【図３】図３は、本発明の実施の形態１に係る床パンの概略構成図である。
【図４】図４は、シート貼付システムの概略構成図である。
【図５】図５は、変形例の床パンの概略構成図である。
【図６】図６は、別の変形例の床パンの概略構成図である。
【図７】図７は、別の変形例の床パンの概略構成図である。
【図８】図８は、別の変形例の床パンの概略構成図である。
【発明を実施するための形態】
【００１０】
（本発明に至った経緯）
浴室洗い場の床面は、様々な形状で形成されている。このため、浴室洗い場の床面に設置される床パンは、浴室洗い場の床面の形状に応じて様々な形状で形成される。
【００１１】
このような床パンとしては、例えば、複数の面が連結されて形成されたものが知られている。このような床パンでは、２つの面が連結される線上に床パンの角部が位置しているため、床パンのサイズが異なると、２つの面が連結される線の位置が異なる。このため、複数の面が連結されて形成される床パンにおいては、浴室洗い場の床面のサイズが異なる場合、床パンを形成する面の形状が変更されて形成される。
【００１２】
また、床パンの上にシートを積層する場合、床パンを形成する面の形状に応じた押子を用いて、シートを床パンの上に貼り付けている。このため、面の形状が異なっていると、異なる形状の複数の押子を準備することになる。また、床パンに貼るシートの端部をプレス機等で加工する場合、端部の形状が異なると、シート切断などの加工型を複数用いることになる。
【００１３】
このように、複数の面を連結して形成する床パンでは、浴室洗い場の床面のサイズに応じて、床パンを形成する面の形状を変更している。また、特許文献１の床パンでは、床パン上にシートを積層する場合、複数の押子及び／又は複数の加工型を使用することになる。このため、製造コストを低減することが困難である。
【００１４】
本発明者らは、この課題を解決すべく、鋭意検討した結果、床パンにおいて２つの面が連結される部分を面で形成し、その面上に床パンの角部を配置する構成を見出し、以下の発明に至った。
【００１５】
以下、実施形態について、添付の図面を参照しながら説明する。また、各図においては、説明を容易なものとするため、各要素を誇張して示している。
【００１６】
（実施の形態１）
［全体構成］
図１は、浴室１の概略構成図である。図１中に示すＸ，Ｙ，Ｚは、それぞれ、浴室１の横方向、縦方向、及び高さ方向を示す。図１に示すように、浴室１は、浴室洗い場１０と、浴室洗い場１０に隣接する浴槽２０と、を備える。
【００１７】
［浴室洗い場］
浴室洗い場１０は、床パン１１と、床パン１１の上に積層されるシート１２と、を備える。実施の形態１では、床パン１１には、四角形の排水口１３が設けられている。排水口１３は、浴槽２０と接する側の端部中央に設けられている。
【００１８】
＜床パン＞
床パン１１は、浴室洗い場１０の床面に設置されるものである。床パン１１は、浴室洗い場１０の床面の全面に設置されている。床パン１１について、図２及び図３を用いて詳細に説明する。図２は床パン１１の概略斜視図を示し、図３は床パン１１の概略構成図を示す。
【００１９】
図２及び図３に示すように、床パン１１は、上面視において、即ち、Ｚ方向から見て、略四角形の形状を有する。床パン１１は、薄板状の部材で形成されており、例えば、繊維強化プラスチックなどの材料で形成されている。
【００２０】
床パン１１は、複数の面が連結されて一体で形成されている。実施の形態１では、床パン１１は、５つの面、即ち、第１面Ａ１、第２面Ａ２、第３面Ａ３、第４面Ａ４、及び第５面Ａ５を連結して一体で形成されている。また、床パン１１は、中心線ＣＬ１に対して左右対称に形成されている。
【００２１】
床パン１１を形成する複数の面Ａ１〜Ａ５は、排水口１３に向かって傾斜して延びている。具体的には、複数の面Ａ１〜Ａ５のそれぞれには、排水口１３に向かって低くなるように、勾配が設けられている。このため、水及び／又は湯が床パン１１上を排水口１３に向かって流れ、排水口１３から排水される。
【００２２】
複数の面Ａ１〜Ａ５は、それぞれ、フラットな面で形成されている。
【００２３】
第１面Ａ１は、浴槽２０と接続される側に形成されており、排水口１３に向かって傾斜して延びている。第１面Ａ１は、床パン１１のＸ方向に向かって延びている。
【００２４】
第２面Ａ２は、排水口１３に向かって傾斜して第１面Ａ１と異なる方向から延びている。具体的には、第２面Ａ２は、浴槽２０と接続される側と反対側から排水口１３に向かって傾斜して延びている。第２面Ａ２は、第１面Ａ１と交差する方向、即ち、床パン１１のＹ方向に向かって延びている。
【００２５】
第３面Ａ３は、第１辺Ｌ１及び第１辺Ｌ１と隣接する第２辺Ｌ２で画定される床パン１１の外周側から排水口１３に向かって傾斜して延びている。また、第３面Ａ３は、第１面Ａ１と第２面Ａ２とを連結している。第１辺Ｌ１は、第１面Ａ１の外周からＹ方向に延びる辺であり、第２辺Ｌ２は第２面Ａ２の外周からＸ方向に延びる辺である。
【００２６】
実施の形態１では、第１辺Ｌ１と第２辺Ｌ２とは、９０°で交差して床パン１１の角部ＣＲ１を形成している。第３面Ａ３は、床パン１１の角部ＣＲ１から排水口１３に向かって傾斜して延びている。具体的には、第３面Ａ３は、床パン１１の角部ＣＲ１から排水口１３の角部に向かって傾斜して延びている。
【００２７】
第４面Ａ４は、排水口１３に向かって傾斜して第２面Ａ２と異なる方向から延びている。具体的には、第４面Ａ４は、浴槽２０と接続される側に形成されており、排水口１３に向かって傾斜して延びている。第４面Ａ４は、排水口１３を挟んで、第１面Ａ１と反対側に形成されている。
【００２８】
第５面Ａ５は、第３辺Ｌ３及び第３辺Ｌ３と隣接する第４辺Ｌ４で画定される床パン１１の外周側から排水口１３に向かって傾斜して延びている。また、第５面Ａ５は、第２面Ａ２と第４面Ａ４とを連結している。第３辺Ｌ３は第２面Ａ２の外周からＸ方向に延びる辺であり、第４辺Ｌ４は第４面Ａ４の外周からＹ方向に延びる辺である。
【００２９】
実施の形態１では、第３辺Ｌ３と第４辺Ｌ４とは、９０°で交差して床パン１１の角部ＣＲ２を形成している。第５面Ａ５は、床パン１１の角部ＣＲ２から排水口１３に向かって傾斜して延びている。具体的には、第５面Ａ５は、床パン１１の角部ＣＲ１から排水口１３の角部に向かって傾斜して延びている。
【００３０】
このように、床パン１１においては、排水口１３に向かって傾斜して延びる複数の面Ａ１〜Ａ５が連結されて一体で形成されている。また、床パン１１の角部ＣＲ１，ＣＲ２は、それぞれ、第３面Ａ３、第５面Ａ５上に位置している。
【００３１】
このように、床パン１１の角部ＣＲ１，ＣＲ２が、２つの面が連結される面上に位置することによって、異なるサイズの床パンを作る際に、相似形の床パンを形成することができる。
【００３２】
本明細書では、「相似形」とは、実質的に相似した形状を含む。相似形の床パン１１は、外形が実質的に同じであればよい。例えば、床パン１１の形状が四角形である場合、相似形の床パンは床パン１１の形状と同様に四角形であればよく、縦横の辺の長さの比率が床パン１１と比べて異なっていてもよい。実施の形態１において、相似形の床パンは、第３面Ａ３及び第５面Ａ５上に、相似形の床パンの角部が位置する形状であればよい。
【００３３】
例えば、図３に示すように、相似形の床パンである、第１床パンＦＰ１、第２床パンＦＰ２、及び第３床パンＦＰ３を説明する。なお、第１床パンＦＰ１、第２床パンＦＰ２、第３床パンＦＰ３は、それぞれ、図３中の点線で囲まれた部分を示し、第１床パンＦＰ１、第２床パンＦＰ２、第３床パンＦＰ３の順に床パンのサイズが小さくなっている。第１床パンＦＰ１、第２床パンＦＰ２、第３床パンＦＰ３は、それぞれ、異なる浴室洗い場のサイズ及び形状に対応している。
【００３４】
図３に示すように、第１床パンＦＰ１の角部ＣＲ１１、第２床パンＦＰ２の角部ＣＲ２１、及び第３床パンＦＰ３の角部ＣＲ３１は、床パン１１の第３面Ａ３上に位置している。即ち、第１床パンＦＰ１、第２床パンＦＰ２、及び第３床パンＦＰ３は、それぞれ、角部ＣＲ１１，ＣＲ２１，ＣＲ３１から排水口１３に向かって傾斜して延びる第３面Ａ３によって、第１面Ａ１と第２面Ａ２とを連結している。
【００３５】
また、第１床パンＦＰ１の角部ＣＲ１２、第２床パンＦＰ２の角部ＣＲ２２、及び第３床パンＦＰ３の角部ＣＲ３２は、床パン１１の第５面Ａ５上に位置している。即ち、第１床パンＦＰ１、第２床パンＦＰ２、及び第３床パンＦＰ３は、角部ＣＲ１２，ＣＲ２２，ＣＲ３２から排水口１３に向かって傾斜して延びる第５面Ａ５によって、第２面Ａ２と第４面Ａ４とを連結している。
【００３６】
このように、２つの面を連結する面上に床パン１１の角部ＣＲ１を位置させることによって、複数の面Ａ１〜Ａ５の形状を変更することなく、サイズの異なる相似形の第１床パンＦＰ１、第２床パンＦＰ２、又は第３床パンＦＰ３を作ることができる。
【００３７】
＜シート＞
シート１２は、床パン１１の上に積層されるものである。シート１２は、床パン１１の厚みよりも小さい。シート１２は、上面視において、即ち、Ｚ方向から見て、床パン１１と同様の形状で形成されている。シート１２は、例えば、防水性のシート材料で形成されている。シート１２には、デザイン性を向上させるために、模様などが付されていてもよい。
【００３８】
シート１２は、押子を用いて、床パン１１上に貼り付けられる。シート１２は、例えば、シート貼付システム３０を使用して、床パン１１の上に貼り付ける。以下、シート貼付システム３０について図４を用いて説明する。
【００３９】
図４は、シート貼付システム３０の概略構成図である。図４に示すように、シート貼付システム３０においては、テーブル３１の上に、シート１２が貼り付けられる前の床パン１１が積載されている。まず、テーブル３１の上に積載された床パン１１が、搬送テーブル３２の上に載置される。
【００４０】
搬送テーブル３２の上に載置された床パン１１の上面に、接着剤塗布装置３３によって接着剤が塗布される。接着剤が塗布された床パン１１に、シート供給装置３４によってシート１２が供給される。
【００４１】
次に、搬送テーブル３２は、床パン１１を載置させた状態で、プレス機３５に移動する。プレス機３５は、シート１２を床パン１１の上面に位置決めし、押子３６によってシート１２を床パン１１の上面に押圧する。これにより、シート１２を床パン１１の上面に貼り付けることができる。
【００４２】
次に、取り出し装置３７によって、プレス機３５から床パン１１を取り出し、積載テーブル３８の上に床パン１１を積載する。
【００４３】
床パン１１は、異なるサイズの床パン１１を製造する場合、相似形とすることができる。このため、床パン１１にシート１２を貼り付ける際に使用する押子３６は、共通の形状のものを使用することができる。
【００４４】
［効果］
実施の形態１に係る床パン１１によれば、以下の効果を奏することができる。
【００４５】
床パン１１は、排水口１３に向かって傾斜して延びる複数の面Ａ１〜Ａ５が連結されて一体で形成されている。また、床パン１１は、第１辺Ｌ１及び第１辺Ｌ１と隣接する第２辺Ｌ２で画定される床パン１１の外周側から排水口１３に向かって傾斜して延びており、第１面Ａ１と、第１面Ａ１と異なる方向から延びる第２面Ａ２とを連結している。
【００４６】
このような構成により、床パン１１の角部ＣＲ１が、第１面Ａ１と第２面Ａ２とが連結される線上ではなく、第１面Ａ１と第２面Ａ２とが連結される第３面Ａ３上に配置される。このため、サイズの異なる相似形の床パン１１を容易に製造することができる。
【００４７】
したがって、床パン１１によれば、床パン１１を形成する複数の面Ａ１〜Ａ５の形状を変更しなくても、様々な浴室洗い場１０の床面のサイズに適合した床パン１１を容易に製造することができる。その結果、床パン１１では、２つの面が連結される線上に角部を有する床パンと比べて、製造コストを低減することができる。
【００４８】
また、相似形の床パン１１の製造時において、シート１２を床パン１１上に貼り付ける際に使用する押子３６は、共通の形状にすることができる。これにより、異なる形状の押子３６を複数準備しなくてもよくなり、押子３６の数を減らすことができる。また、シート１２の端部を切断する際に使用される加工型の数も減らすことができる。これにより、製造コスト及び工数を低減することができる。
【００４９】
また、床パン１１は、サイズ変更及び／又は形状変更して利用する場合の自由度が高い。例えば、床パン１１を、浴室洗い場１０の床面の寸法に合わせてカットなどの加工をすることによって、浴室洗い場１０の形状に適合したサイズの床パンを容易に作ることができる。即ち、床パン１１を加工して、相似形の床パンを容易に作ることができる。
【００５０】
床パン１１において、第３面Ａ３は、床パン１１の角部ＣＲ１から排水口１３に向かって延びている。このような構成により、床パン１１の角部ＣＲ１を面上により容易に配置することができる。また、第５面Ａ５についても、第３面Ａ３と同様に、床パン１１の角部ＣＲ２から排水口１３に向かって延びている。このような構成により、床パン１１の角部ＣＲ２を面上により容易に配置することができる。
【００５１】
また、浴室洗い場１０についても、床パン１１を備えるため、製造コストを低減することができる。
【００５２】
なお、実施の形態１では、床パン１１は、四角形である例について説明したが、これに限定されない。床パン１１は、四角形以上の多角形の形状を有していてもよい。このような構成により、様々な形状の浴室洗い場１０に適合した床パン１１を低コストで提供することができる。
【００５３】
床パン１１の角部ＣＲ１，ＣＲ２は、９０度の角度で形成されている例について説明したが、これに限定されない。例えば、床パン１１の角部ＣＲ１，ＣＲ２は、鋭角又は鈍角で形成されていてもよい。
【００５４】
また、床パン１１の角部ＣＲ１，ＣＲ２の両方が、２つの面が連結される面上に配置される例について説明したが、これに限定されない。床パン１１の角部ＣＲ１，ＣＲ２のいずれか一方が、２つの面を連結する面上に配置されていてもよい。
【００５５】
床パン１１は、中心線ＣＬ１に対して左右対称である例について説明したが、これに限定されない。また、床パン１１は、５つの面Ａ１〜Ａ５を連結させて一体で形成する例について説明したが、これに限定されない。床パン１１は、３つ以上の面を有していればよい。
【００５６】
床パン１１は、シート１２を備える例について説明したが、これに限定されない。床パン１１は、シート１２を備えなくてもよい。
【００５７】
排水口１３は、床パン１１において、浴槽２０に接続される側の端部中央に設けられる例について説明したが、これに限定されない。排水口１３の位置は、浴室洗い場１０の形状に対応させて変更することができる。
【００５８】
また、排水口１３の形状は四角形である例を説明したが、これに限定されない。排水口１３の形状は、例えば、円形、又は台形などであってもよい。
【００５９】
以下、変形例について説明する。
【００６０】
図５は、変形例の床パン１１Ａの概略構成図である。図５に示すように、床パン１１Ａは、排水口１３に向かって傾斜して延びる第１面Ａ１１、第２面Ａ１２、及び第３面Ａ１３との３つの面で形成されている。第３面Ａ１３は、第１辺Ｌ１及び第１辺Ｌ１と隣接する第２辺Ｌ２で画定される床パン１１Ａの外周側から、即ち、角部ＣＲ１から排水口１３に向かって傾斜して延び、第１面Ａ１１と第２面Ａ１２とを連結している。
【００６１】
床パン１１Ａにおいても、第３面Ａ１３上に角部ＣＲ４，ＣＲ５をそれぞれ有する相似形の第４床パンＦＰ４、第５床パンＦＰ５を容易に作ることができる。このため、３つの面で形成される床パン１１Ａにおいても、製造コストを低減することができる。
【００６２】
図６は、別の変形例の床パン１１Ｂの概略構成図である。図６に示すように、床パン１１Ｂは、排水口１３に向かって傾斜して延びる第１面Ａ２１、第２面Ａ２２、第３面Ａ２３、及び第４面Ａ２４との４つの面で形成されている。第３面Ａ２３は、第１辺Ｌ１及び第１辺Ｌ１と隣接する第２辺Ｌ２で画定される床パン１１Ｂの外周側から、即ち、角部ＣＲ１から排水口１３に向かって傾斜して延び、第１面Ａ２１と第２面Ａ２２とを連結している。
【００６３】
床パン１１Ｂにおいても、第３面Ａ２３上に角部ＣＲ６，ＣＲ７をそれぞれ有する相似形の第６床パンＦＰ６、第７床パンＦＰ７を容易に作ることができる。このため、４つの面で形成される床パン１１Ｂにおいても、製造コストを低減することができる。
【００６４】
図７は、別の変形例の床パン１１Ｃの概略構成図である。図７に示すように、床パン１１Ｃは、排水口１３に向かって傾斜して延びる第１面Ａ３１、第２面Ａ３２、第３面Ａ３３、第４面Ａ３４、第５面Ａ３５、及び第６面Ａ３６との６つの面で形成されている。第３面Ａ３３は、第１辺Ｌ１及び第１辺Ｌ１と隣接する第２辺Ｌ２で画定される床パン１１Ｃの外周側から、即ち、角部ＣＲ１から排水口１３に向かって傾斜して延び、第２面Ａ３２と第４面Ａ３４とを連結している。また、第５面Ａ３５は、第３辺Ｌ３及び第３辺Ｌ３と隣接する第４辺Ｌ４で画定される床パン１１Ｃの外周側から、即ち、角部ＣＲ２から排水口１３に向かって傾斜して延び、第４面Ａ３４と第６面Ａ３６とを連結している。
【００６５】
床パン１１Ｃにおいても、第３面Ａ３３上に角部ＣＲ８，ＣＲ９をそれぞれ有する相似形の第８床パンＦＰ８、第９床パンＦＰ９を容易に作ることができる。このため、６つの面で形成される床パン１１Ｃにおいても、製造コストを低減することができる。
【００６６】
図８は、別の変形例の床パン１１Ｄの概略構成図である。図８に示すように、床パン１１Ｄは、排水口１３に向かって傾斜して延びる第１面Ａ４１、第２面Ａ４２、第３面Ａ４３、第４面Ａ４４、第５面Ａ４５、第６面Ａ４６、第７面Ａ４７、及び第８面Ａ４８との８つの面で形成されている。
【００６７】
第３面Ａ４３は、第１辺Ｌ１１及び第１辺Ｌ１１と隣接する第２辺Ｌ１２で画定される床パン１１Ｄの外周側から、即ち、角部ＣＲ１１から排水口１３に向かって傾斜して延び、第１面Ａ４１と第２面Ａ４２とを連結している。また、第５面Ａ４５は、第３辺Ｌ１３及び第３辺Ｌ１３と隣接する第４辺Ｌ１４で画定される床パン１１Ｄの外周側から、即ち、角部ＣＲ１２から排水口１３に向かって傾斜して延び、第２面Ａ４２と第４面Ａ４４とを連結している。第７面Ａ４７は、第５辺Ｌ１５及び第５辺Ｌ１５と隣接する第６辺Ｌ１６で画定される床パン１１Ｄの外周側から、即ち、角部ＣＲ１３から排水口１３に向かって傾斜して延び、第４面Ａ４４と第６面Ａ４６とを連結している。第８面Ａ４８は、第７辺Ｌ１７及び第７辺Ｌ１７と隣接する第８辺Ｌ１８で画定される床パン１１Ｄの外周側から、即ち、角部ＣＲ１４から排水口１３に向かって傾斜して延び、第１面Ａ４１と第６面Ａ４６とを連結している。
【００６８】
床パン１１Ｄにおいても、第３面Ａ４３上に角部ＣＲ１０１，ＣＲ１１１、第５面Ａ４５上に角部ＣＲ１０２，ＣＲ１１２、第７面Ａ４７上に角部ＣＲ１０３，ＣＲ１１３、第８面Ａ４８上に角部ＣＲ１０４，１１４を、それぞれ有する相似形の第１０床パンＦＰ１０及び第１１床パンＦＰ１１を容易に作ることができる。このため、８つの面で形成される床パン１１Ｄにおいても、製造コストを低減することができる。
【００６９】
本発明をある程度の詳細さをもって各実施形態において説明したが、これらの実施形態の開示内容は構成の細部において変化してしかるべきものである。また、実施形態における要素の組合せや順序の変化は、本開示の範囲及び思想を逸脱することなく実現し得るものである。
【符号の説明】
【００７０】
１  浴室
１０  浴室洗い場
１１、１１Ａ、１１Ｂ、１１Ｃ、１１Ｄ  床パン
１２  シート
１３  排水口
２０  浴槽
３０  シート貼付システム
３１  テーブル
３２  搬送テーブル
３３  接着剤塗布装置
３４  シート供給装置
３５  プレス機
３６  押子
３７  取り出し装置
３８  積載テーブル
Ａ１，Ａ２，Ａ３，Ａ４，Ａ５  面
Ａ１１，Ａ１２，Ａ１３  面
Ａ２１，Ａ２２，Ａ２３，Ａ２４  面
Ａ３１，Ａ３２，Ａ３３，Ａ３４，Ａ３５，Ａ３６  面
Ａ４１，Ａ４２，Ａ４３，Ａ４４，Ａ４５，Ａ４６，Ａ４７，Ａ４８  面
ＣＬ１  中心線
ＣＲ１，ＣＲ２  角部
ＣＲ４，ＣＲ５，ＣＲ６，ＣＲ７，ＣＲ８，ＣＲ９  角部
ＣＲ１１，ＣＲ１２，ＣＲ２１，ＣＲ２２，ＣＲ３１，ＣＲ３２  角部
ＣＲ１０１，ＣＲ１０２，ＣＲ１０３，ＣＲ１０４，ＣＲ１１１，ＣＲ１１２，ＣＲ１１３，ＣＲ１１４  角部
Ｌ１，Ｌ２，Ｌ３，Ｌ４  辺
Ｌ１１，Ｌ１２，Ｌ１３，Ｌ１４，Ｌ１５，Ｌ１６，Ｌ１７，Ｌ１８  辺
ＦＰ１，ＦＰ２，ＦＰ３  床パン
ＦＰ４，ＦＰ５  床パン
ＦＰ６，ＦＰ７  床パン
ＦＰ８，ＦＰ９  床パン
ＦＰ１０，ＦＰ１１  床パン
【図１】
2019100015.tif 000003
【図２】
2019100015.tif 000004
【図３】
2019100015.tif 000005
【図４】
2019100015.tif 000006
【図５】
2019100015.tif 000007
【図６】
2019100015.tif 000008
【図７】
2019100015.tif 000009
【図８】
2019100015.tif 000010